(57)【要約】【課題】増幅装置の不法な模倣品の製造などを防止する。【解決手段】制御部により、Ｓ１００，Ｓ１０２の処理において、パラメータが正常と判断されたときには、Ｓ１２０において、メモリデバイスＡからデータ１が読み出され、Ｓ１２２において、別のメモリデバイスＢからデータ２が読み出される。Ｓ１２４において、データ１，２の組み合わせが正常であるか否かが判断され、正常であるときには、増幅器が正常に増幅動作するように制御が行われ、これ以外のときには、増幅器の増幅動作が制限されるように制御が行われる。【選択図】図４
2012181641.tif 000002
【特許請求の範囲】
【請求項１】
制御に従って、入力された信号を増幅して出力する増幅手段と、
第１のメモリデバイスから、予め決められた第１の情報を読み出す第１の読み出し手段と、
第２のメモリデバイスから、前記第１の情報と一意に対応する第２の情報を読み出す第２の読み出し手段と、
前記読み出された第１の情報と第２の情報とが一意に対応するか否かを判定する判定手段と、
前記読み出された第１の情報と第２の情報とが一意に対応するとき以外に、前記信号の増幅を制限するように、前記増幅手段を制御する制限手段と
を有する増幅装置。
【発明の詳細な説明】
【技術分野】
【０００１】
本発明は、入力されたデータが正常なときには、増幅回路を用いて信号を増幅し、入力されたデータが正常なでないときには、増幅回路の増幅動作を制限するように構成された増幅装置に関する。
【背景技術】
【０００２】
例えば、特許文献１は、制御器を用いて、出力信号に生じる歪みが閾値を超えるときに、増幅器の入力信号のレベルを制限し、出力信号に生じる歪みを低減するように構成された増幅装置を開示する。
しかしながら、上述した増幅装置は、例えば、フラッシュＲＯＭ(Flash ROM)などのメモリデバイスに記憶されたプログラムを、同様に記憶されたパラメータを用いて実行して増幅器の動作を制御するので、メモリデバイスの記憶内容がコピーされてしまうと、違法な模造品が容易に作られてしまう。
【先行技術文献】
【特許文献】
【０００３】
【特許文献１】特開２００５−１２４１９号公報
【発明の概要】
【発明が解決しようとする課題】
【０００４】
本願発明は、上述した背景からなされたものであって、制御装置のプログラムを記憶したメモリデバイスの内容をコピーしても、その模造品が容易に製造されないように構成された増幅装置を提供することを目的とする。
【課題を解決するための手段】
【０００５】
上記目的のために、本願にかかる増幅装置は、制御に従って、入力された信号を増幅して出力する増幅手段と、第１のメモリデバイスから、予め決められた第１の情報を読み出す第１の読み出し手段と、第２のメモリデバイスから、前記第１の情報と一意に対応する第２の情報を読み出す第２の読み出し手段と、前記読み出された第１の情報と第２の情報とが一意に対応するか否かを判定する判定手段と、前記読み出された第１の情報と第２の情報とが一意に対応するとき以外に、前記信号の増幅を制限するように、前記増幅手段を制御する制限手段とを有する。
【発明の効果】
【０００６】
本願発明にかかる増幅装置によれば、制御装置のプログラムを記憶したメモリデバイスの内容をコピーしても、その模造品は容易に製造され得ない。
【図面の簡単な説明】
【０００７】
【図１】本願発明にかかる増幅装置の構成を示す図である。
【図２】図１に示した増幅装置の制御部２の構成を示す図である。
【図３】図１，図２に示した増幅装置の第１の動作（Ｓ１０）を示す図である。
【図４】図１，図２に示した増幅装置の第２の動作（Ｓ１２）を示す図である。
【発明を実施するための形態】
【０００８】
以下、本願発明にかかる増幅装置１を説明する。
図１は、本願発明にかかる増幅装置１の構成を示す図である。
図１に示すように、増幅装置１は、制御部２、増幅部１０、入力部１００、出力部１０８、電源部（ＰＳ）１１０および放熱部１１２から構成される。
増幅部１０は、入力部１００に入力された入力信号を増幅する第１および第２の振幅制限部１２，１４、カプラ１０２，１０４、アイソレータ１０６、第１の増幅回路１１６−１、および、制御部２と、その外部に接続されるから機器（ＰＣなど）との間の通信を行う外部通信機器１１４から構成される。
【０００９】
第１の振幅制限部１２は、第１の増幅回路１１６−１の出力側に接続された移相器１２０および可変減衰器１２２と、移相器１２０の出力側に接続された可変減衰器１２２と、可変減衰器１２２の出力側に接続された第２の増幅回路１１６−２から構成される。
第２の振幅制限部１４は、第１の振幅制限部１２の出力側にカプラ１０２を介して接続された移相器１２０および可変減衰器１２２と、移相器１２０の出力側に接続された可変減衰器１２２と、可変減衰器１２２の出力側に接続された第３の増幅回路１１６−３から構成される。
増幅部１０は、これらの構成部分により、動作条件（後述）が満たされたときには、制御部２による振幅制限部１２，１４の移相器１２０および可変減衰器１２２に対する移相量および減衰量の制御を受けて、出力部１０８から出力される出力信号に歪みが生じないように入力信号（例えば、移動体通信用の高周波信号）を増幅する。
また、増幅部１０は、動作条件（後述）が満たされたときには、制御部２による動作制限のための制御を受けて、入力信号を増幅して出力する。
【００１０】
図２は、図１に示した増幅装置１の制御部２の構成を示す図である。
図２に示すように、制御部２は、プログラム実行部２０、プログラム実行部２０により発信周波数が制御されるＰＬＬシンセサイザ２６２を含む受信機２６０、８チャネル（８ｃｈ）分のディジタル／アナログ変換器（Ｄ／Ａ）２６６を含むコントロールアンプ２６４、８チャネル分のアナログ／ディジタル変換器（Ａ／Ｄ）２７０を含むドライバアンプ２７０、８チャネル分のＤ／Ａ２７４を含むメインアンプ２７２、ＰＣなどの外部機器との接続に用いられるＲＳ２３２Ｃ端子２４２、および、増幅部１０の温度、入力信号および出力信号のレベルなどを検出するセンサ類（図示せず）から構成される。
【００１１】
プログラム実行部２０は、ＣＰＵ２２、８チャネル分のＤ／Ａ２２０、フラッシュＲＯＭ(Flash ROM)２２２、ＲＡＭ２２４、不揮発性ＲＡＭ（ＮＶＲＡＭ）２２６、ＦＰＧＡ（Field-Programmable Gate Array）２２８、外部Ｉ／Ｆ回路２３０、および、通信用の第１および第２のバッファ２３２−１，２３２−２から構成される。
ＣＰＵ２２は、８チャネル分のＡ／Ｄ２００およびＤ／Ａ２０２を内蔵する。
フラッシュＲＯＭ２２２には、増幅部１０の動作状態が正常であるか否かを判定するために用いられる各種閾値の情報、コントロールアンプ２６４などを用いた増幅部１０に対する制御を行うためのプログラム、このプログラムの実行のために用いられるパラメータ（増幅部１０（図１）の移相器１２０および可変減衰器１２２に対する設定値など）、これらのパラメータが正常であるか否かを判断するための情報、および、必要に応じたその他の情報が記憶される。
制御部２３０には、サーバコンピュータなどの上位機器２４０、表示用のＬＥＤ２３４、制御用のリレー２３６、不揮発性ＲＡＭあるいはＵＳＢメモリなどのメモリデバイスＡ２４４およびメモリデバイスＢ２４６などが接続される。
【００１２】
制御部２は、これらの構成部分により、増幅部１０（図１）に対して入力信号を供給し、入力信号のレベル、増幅部１０から出力される出力信号のレベル、増幅部１０の温度の検出を行う。
また、同様に、制御部２は、増幅部１０の出力信号のレベルおよび温度などに基づいて、増幅部１０が正常に動作しているか、あるいは、増幅部１０の動作に異常が生じているかなどを判定し、増幅部１０の増幅動作を監視し、制御する。
また、同様に、制御部２は、上述のように、出力部１０８から出力される出力信号に歪みが生じないように、振幅制限部１２，１４（図１）の移相器１２０および可変減衰器１２２の移相量および減衰量を制御する。
また、制御部２は、フラッシュＲＯＭ２２２に記憶されたパラメータが正常か否か、および、メモリデバイスＡ２４４およびメモリデバイスＢ２４６に記憶されたデータの組み合わせが正常か否かに基づいて、増幅動作を行わせないように、あるいは、出力信号のレベルおよび使用期間を制限するように増幅部１０を制御する。
【００１３】
制御部２のこれらの動作は、例えば、上述のようにフラッシュＲＯＭ２２２に記憶された増幅部１０用の制御プログラム（図示せず）を、ＣＰＵ２２が、プログラム実行部２０のハードウェア資源を具体的に利用して実行することにより実現される。
なお、以下、制御部２のこれらの動作が、プログラムの実行により実現される場合が具体例とされているが、プログラムの機能の一部または全部は、適宜、ハードウェアに置き換えられ得る。
【００１４】
［増幅装置１の動作］
以下、図１，図２に示した増幅装置１の動作を説明する。
以下に説明する第１の動作および第２の動作においては、増幅部１０に対する制御に用いられるパラメータ、増幅装置１の製造番号（シリアル番号）などの第１のデータ（データ１）、および、第１のデータと一意に対応する第２のデータ（データ２；例えば、第１のデータのハッシュ値あるいは暗証番号）は、下表１に示すように、フラッシュＲＯＭ２２２、メモリデバイスＡ２４４およびメモリデバイスＢ２４６にそれぞれ記憶される。
つまり、第１の動作においては、フラッシュＲＯＭ２２２に増幅部１０を制御するためのパラメータと、それが正常であるか否かを判断するための情報のみが必要とされ、メモリデバイスＡ２４４およびメモリデバイスＢ２４６に記憶される情報は必要とされない。
一方、第２の動作においては、フラッシュＲＯＭ２２２に記憶される上記パラメータに関する情報、メモリデバイスＡ２４４に記憶される上記第第１のデータ、および、メモリデバイスＢ２４６に記憶される上記第２のデータが必要とされる。
【００１５】
【表１】
2012181641.tif 000003
【００１６】
［第１の動作］
以下、図１，図２に示した増幅装置１の第１の動作を説明する。
図３は、図１，図２に示した増幅装置１の第１の動作（Ｓ１０）を示す図である。
図３に示すように、ステップ１００（Ｓ１００）において、プログラム実行部２０は、フラッシュＲＯＭ２２２から、上記パラメータに関する情報を読み出す。
ステップ１０２（Ｓ１０２）において、プログラム実行部２０は、増幅部１０を制御するためのパラメータを、それを正常か否かを判断するための情報を用いて検証する。
パラメータが正常だと判断されたときには、プログラム実行部２０はＳ１０４の処理に進み、これ以外のときにはＳ１０６の処理に進む。
【００１７】
ステップ１０４（Ｓ１０４）において、プログラム実行部２０は、増幅部１０を制御して、入力信号を増幅させ、出力信号として出力させる。
ステップ１０６（Ｓ１０６）において、プログラム実行部２０は、増幅部１０に増幅動作を行わせるための制御を行わず、増幅動作をさせないままとして、ＬＥＤ２３４などに、エラーが発生した旨を表示する。
【００１８】
［第２の動作］
以下、図１，図２に示した増幅装置１の第２の動作を説明する。
図４は、図１，図２に示した増幅装置１の第２の動作（Ｓ１２）を示す図である。
なお、図４においては、図３に示した第１の動作に含まれる処理と実質的に同じ処理には、同じ符号が付されている。
Ｓ１００，Ｓ１０２の処理において、パラメータが正常と判断されたときには、ステップ１２０（Ｓ１２０）において、プログラム実行部２０は、外部Ｉ／Ｆ回路２３０に接続されたメモリデバイスＡ２４４から、第１のデータ（データ１）を読み出す。
ステップ１２２（Ｓ１２２）において、プログラム実行部２０は、外部Ｉ／Ｆ回路２３０に接続されたメモリデバイスＢ２４６から、第２のデータ（データ２）を読み出す。
【００１９】
ステップ１２４（Ｓ１２４）において、プログラム実行部２０は、第１のデータと第２のデータ（データ１，２）が正常であるか否かを判断する。
第１のデータと第２のデータとの組み合わせが正常か否かは、例えば、第１のデータ（データ１）からプログラム実行部２０が予め決められた関数から得たハッシュ値と第２のデータ（データ２）とが一致するか否かにより判断される。
あるいは、例えば、第１のデータ（データ１）としてメモリデバイスＡ２４４から読み出された増幅装置１のシリアル番号と、第２のデータ（データ２）としてメモリデバイスＢ２４６から、このシリアル番号に対応する暗証番号として読み出された第２のデータが、フラッシュＲＯＭ２２２に記憶された暗証番号と一致するか否かにより判断される。
プログラム実行部２０は、第１のデータと第２のデータと（データ１，２）の組み合わせが正常であるときにはＳ１０４の処理に進み、これ以外のときにはＳ１２６の処理に進む。
【００２０】
ステップ１２６（Ｓ１２６）において、プログラム実行部２０は、ＬＥＤ２３４（図２）などに第１のデータと第２のデータとの組み合わせが不正常であることを表示し、さらに、増幅部１０を制御して、その増幅動作を制限する。
プログラム実行部２０による増幅部１０の動作制限としては、
（１）電源部１１０（図１）を制御して、増幅部１０への電力の供給を停止させ、増幅部１０の増幅動作を不可能にすること；
（２）増幅部１０の移相器１２０および可変減衰器１２２への設定値を操作して、増幅部１０が正常に入力信号を増幅できないようにしたり、出力信号のレベルを低い値に制限したりすること；および
（３）増幅部１０の使用時間あるいは連続して使用できる時間を、予め決められた時間以下に制限すること
などを具体例として挙げることができる。
【００２１】
第２の動作においては、第１のデータと第２のデータ（データ１，２）が、それぞれ別の記憶媒体に記憶され、プログラム実行部２０に読み込まれるので、メモリデバイスＡ２４４とメモリデバイスＢ２４６の両方を持ったユーザのみが増幅装置１を正常動作させることができる。
従って、第２の動作を採用すると、増幅装置１の使用権限を有さないユーザによる使用、および、増幅装置１の不正な模倣品の製造を防止するという、第１の動作を採用したときには達成し得ない技術的効果を得ることができる。
【符号の説明】
【００２２】
１・・・増幅装置，１０・・・増幅部，１２，１４・・・振幅制限部，１２０・・・移相器，１２２・・・可変減衰器，１２４・・・遅延線，１００・・・入力部，１０２，１０４・・・カプラ，１０６・・・アイソレータ，１０８・・・出力部，１１０・・・電源部，１１２・・・放熱部，１１４・・・外部通信機器，２・・・制御部，２０・・・プログラム実行部，２２・・・ＣＰＵ，２００，・・・Ａ／Ｄ，２０２，２２０，２６６，２７０，２７４・・・Ｄ／Ａ，２２２・・・フラッシュＲＯＭ，２２４・・・ＲＡＭ，
２２６・・・不揮発性ＲＡＭ，２２８・・・ＦＰＧＡ，２３０・・・外部Ｉ／Ｆ回路，２３２・・・バッファ，２３４・・・ＬＥＤ，２３６・・・リレー，２３８・・・クロック発生器，２４０・・・上位機器，２４２・・・ＲＳ２３２Ｃ端子，２４４・・・メモリデバイスＡ，２４６・・・メモリデバイスＢ，２６０・・・受信機，２６４・・・コントロールアンプ，２６８・・・ドライバアンプ，２７２・・・メインアンプ，
【図１】
2012181641.tif 000004
【図２】
2012181641.tif 000005
【図３】
2012181641.tif 000006
【図４】
2012181641.tif 000007